(57)【特許請求の範囲】
【請求項１】
回線割当制御を行う特定地球局、
この特定地球局と通信衛星を介する共通線信号回線と通信回線とによって接続された子地球局を含み、前記特定地球局と前記子地球局との間でデータ伝送を行う衛星通信システムにおいて、
前記複数の子地球局のいずれかが前記データ伝送の開始を要求する発呼側地球局となって前記特定地球局へデータ伝送を行う場合に、
前記データ伝送の伝送量が予め定めた所定の量より多いとき、該発呼側地球局が前記特定地球局に対して前記共通線信号回線を通じて前記通信回線の割当を要求すると共に、この割当要求に応じて前記特定地球局が前記発呼側地球局に前記通信回線を割り当て、割り当てられた前記通信回線を使用して前記発呼側地球局から前記特定地球局へとデータ伝送を行い、
前記データ伝送の伝送量が予め定めた所定の量より少ないとき、前記発呼側地球局は前記共通線信号回線を用いて前記特定地球局へ前記データの伝送を行うものであって、
前記共通線信号回線は互いに帯域幅の異なる複数の回線を含み、前記発呼側地球局は前記データ伝送の伝送量の大小に応じて、前記複数の回線の中からあらかじめ定めた所定の帯域幅の前記共通線信号回線を選択する伝送帯域選択手段を具備することを特徴とする衛星通信システム。
【請求項２】
前記共通線信号回線の前記帯域幅の異なる複数の回線は、それぞれ時間的に区分された複数のタイムスロットを有し、前記発呼側地球局は、前記データ伝送の伝送量に応じて前記タイムスロットの１つ又は複数のタイムスロットを選択して伝送するスロット選択手段を具備することを特徴とする請求項１記載の衛星通信システム。
【請求項３】
前記発呼側地球局が、選択した伝送帯域幅又は選択したタイムスロットの数を前記特定地球局へ通知し、前記特定地球局は前記発呼側地球局に該当する帯域幅の前記共通線信号回線又は前記タイムスロットを前記発呼側地球局がデータ伝送に使用する専用回線として割り当てることを特徴とする請求項２記載の衛星通信システム。
【請求項４】
回線割当制御を行う親地球局と通信衛星を介する共通線信号回線と通信回線とによって接続され、前記親地球局との間でデータ伝送を行う子地球局において、
前記子地球局から前記親地球局へデータ伝送を行う場合に、
前記データ伝送の伝送量が予め定めた所定の量より多いとき、前記親地球局に対して前記共通線信号回線を通じて前記通信回線の割当を要求すると共に、割り当てられた前記通信回線を使用して前記親地球局へと前記データ伝送を行い、
前記データ伝送の伝送量が予め定めた所定の量より少ないとき、前記共通線信号回線を用いて前記親地球局へ前記データの伝送を行うものであって、
前記共通線信号回線は互いに帯域幅の異なる複数の回線を含み、前記データ伝送の伝送量の大小に応じて、前記複数の回線の中からあらかじめ定めた所定の帯域幅の前記共通線信号回線を選択する伝送帯域選択手段を具備することを特徴とする子地球局。
【請求項５】
複数の子地球局と通信衛星を介する共通線信号回線と通信回線とによって接続され、前記複数の子地球局との間でデータ伝送を行う親地球局において、
前記複数の子地球局のいずれかから前記親地球局へデータ伝送を行う場合に、
前記データ伝送の伝送量が予め定めた所定の量より多いとき、前記子地球局から前記共通線信号回線を通じて要求された前記通信回線を前記子地球局に割り当てると共に、割り当てた前記通信回線を介して前記子地球局からの前記データ伝送を受信し、
前記データ伝送の伝送量が予め定めた所定の量より少ないとき、前記子地球局からの前記データの伝送を前記共通線信号回線を介して受信するものであって、
前記共通線信号回線は互いに帯域幅の異なる複数の回線を含み、前記データ伝送の伝送量の大小に応じて前記子地球局により選択された、前記複数の回線の中の所定の帯域幅の前記共通線信号回線を介して受信することを特徴とする親地球局。
【発明の詳細な説明】
【０００１】
【発明の属する技術分野】
この発明は、１つの親局と複数の子局が要求時回線割当方式（ＤＡＭＡ方式）による通信を行う衛星通信システムにおいて、子局から親局への共通線信号回線（ＣＳＣ回線）をデータ伝送に使用する衛星通信システム並びにこの衛星通信システムに用いられる子地球局及び親地球局に関するものである。
【０００２】
【従来の技術】
図５は、従来の要求時割当多元接続方式（ＤＡＭＡ方式）の衛星通信システムの構成を示す概念図である。ＤＡＭＡ方式とは、複数の地球局が設置された通信ネットワークにおいて、通信の際に使用する回線を要求に応じて割り当てる方式である。そのためＣＳＣ回線と通信回線の２種類の回線を設定し、ＣＳＣ回線によって通信回線の回線割当要求および空き回線割当制御を行い、割当によって接続された通信回線を用いて実際の通信を行う。
【０００３】
図５において３１はこの衛星通信システムにおいて、ＤＡＭＡ方式にて回線割当、監視、制御等を行いネットワークを一括管理する親局である。３２は複数の子局であり、３３は宇宙空間に打ち上げられ、衛星回線を中継する通信衛星である。３４は通信衛星３３を介して子局から親局への上り共通線信号回線（ＣＳＣ回線）である。ＣＳＣ回線はＤＡＭＡ方式を使用する際に回線割当要求や監視信号や監視に対する応答信号などの伝送を行う。３５は通信衛星３３を介して親局から子局への下りＣＳＣ回線である。３６は実際の通信に用いる通信回線である。
【０００４】
図６はシステムにより固定的に配置されている上りＣＳＣ回線３４および下りＣＳＣ回線３５の周波数配置、スロット配置を示す図である。図において３５は親局３１が子局３２へ送信する下りＣＳＣ回線であり、３４は子局３２が親局３１へ送信する上りＣＳＣ回線である。さらに、ここでは図示しなかったが、衛星通信回線３６はＣＳＣ回線とは異なった周波数帯域に存在する。
【０００５】
図７は従来の親局３１の装置構成を表すブロック図である。４０は端末装置である。４１は回線接続制御装置であり、子局３２からの回線割当要求にしたがって空き回線の検索および割当を行うＤＡＭＡ制御部４１ａ、子局３２の動作チェックのために監視信号を発信し、また子局３２からの応答信号を受け正常に動作しているかをチェックする監視制御部４１ｂからなる。４２は回線接続制御装置４１からの回線割当命令等の無線信号を下りＣＳＣ回線の周波数帯に変調するためのＣＳＣ変調部である。４３は図６の上りＣＳＣ回線３４に対応した周波数の受信信号を復調するＣＳＣ復調部である。４４ａは、通信時にＤＡＭＡ制御部４１ａの指示に従って空いている通信回線に周波数を設定し、当該周波数で送受信を行う親局の通信回線変復調部である。４５は、送信時はＣＳＣ変調部４２から出力された無線信号を増幅した後、空間に送出し、受信時は衛星３から受信した無線信号を中間周波数信号に変換してＣＳＣ復調部４３に出力する送受信装置である。
【０００６】
図８は従来の子局３２の装置構成を表すブロック図である。図において５０は端末装置である。５１はＩＤＵであり、上りＣＳＣ回線３４の周波数に対応したＣＳＣ変復調部５１ａと、通信時に空き回線の周波数を設定し、当該周波数で無線信号の送受信を行う子局の通信回線変復調部４４ｂと、回線要求時にＣＳＣ変復調部５１ａを制御し、また要求後の通信時においては、親局の命令で空き回線に対応した周波数に設定するよう通信回線変復調部４４ｂを制御するＩＤＵ（Ｉｎ  Ｄｏｏｒ  Ｕｎｉｔ）制御部５１ｃからなる。５２はＯＤＵ（Ｏｕｔ  Ｄｏｏｒ  Ｕｎｉｔ）であり、送信時はＩＤＵ５１から出力された無線信号を増幅後、空間に送出し、受信時は衛星３から受信した無線信号を中間周波数に変換しＩＤＵ５１に出力する。５３はアンテナである。
【０００７】
次に動作について説明する。まず、子局３２ａが子局３２ｂとの間で通信を行う場合、子局３２ａにおいて、端末装置５０からの発呼に応じてＩＤＵ制御部５１ｃの制御によって、ＣＳＣ変復調部５１ａが、上りＣＳＣ回線３４ａ周波数を合わせて、タイムスロットを選択し親局３１へ回線接続要求の無線信号をＯＤＵ５２に送出する。ＯＤＵ５２では当該無線信号を増幅し、アンテナ５３によって空間に送出する。
【０００８】
親局３１では衛星３を介した回線接続要求信号をアンテナ４６で受信し、送受信装置４５に出力する。送受信装置４５は回線接続要求信号を中間周波数に変換し、ＣＳＣ復調部４３に出力する。ＣＳＣ復調部４３は回線接続要求信号を復調し、回線接続制御装置４１に出力する。ＤＡＭＡ制御部４１ａにおいて通信回線となる空き回線を検索し、回線設定信号をＣＳＣ変調部４２に出力する。ＣＳＣ変調部４２において変調し、送受信装置４５において増幅し、アンテナ４６によって空中へ送出され、衛星３を介して子局３２ａおよび３２ｂへ利用可能な通信回線（周波数および使用帯域幅）を通知する。
【０００９】
子局３２ａおよび３２ｂは指示された衛星回線の周波数帯域にそれぞれの通信回線変復調部４４ｂの周波数を合わせて通信を行う。子局３２と親局３１が通信する場合も同様の手順で親局の通信回線変復調部４４ａ、および子局の通信回線変復調部４４ｂの周波数を合わせる。
【００１０】
次に、親局３１が各子局３２の監視、制御を行う場合の動作について説明する。親局３１は監視制御部４１ｃから下りＣＳＣ回線３５に周波数帯域を合わせた監視信号をＣＳＣ変調部４２、送受信装置４５、アンテナ４６を通して空中に送出する。
【００１１】
子局３２において衛星３を介して受信した監視信号は、ＯＤＵ５２で中間周波数に変調され、ＩＤＵ５１にて復調され、自局向けの監視信号であることが認識される。その際、自局が正常であれば上りＣＳＣ回線３４を用いて応答信号を親局３１へ返送する。返送された応答信号は回線接続制御装置４１内の監視制御部４１ｃにて認識され、子局３２ａは正常であると認識される。以上を各子局について順次行うことにより親局３１は子局３２を監視する。
【００１２】
以上、通信時および監視制御時の上りＣＳＣ回線３４の帯域幅および情報速度は固定されていた。
【００１３】
【発明が解決しようとする課題】
従来では伝送するデータ容量の大小に関係なく、回線割当の動作を行っていた。このような方法で通信を行う場合、データ伝送量が少ない場合には、接続要求毎に通信回線割当のための時間を必要とするため効率的でなく、また、通信回線に空きが無い場合はデータ伝送が出来ないなどの問題点があった。
【００１４】
本発明は、上記の問題点を解消するためになされたもので、一定量以下のデータ伝送に対して通常の回線要求、割当により通信回線を確保するのではなく共通線信号回線を用いるため、通信回線の割当および確保をする必要がなく、データ伝送要求から伝送開始までの時間短縮ができ、かつ共通線信号回線を用いることでより通信回線に空きができ、通信回線をより有効に利用する衛星通信システム並びにこの衛星通信システムに用いられる子地球局及び親地球局を得ることを目的とする。
【００１５】
【課題を解決するための手段】
この発明の衛星通信システムは、回線割当制御を行う特定地球局、この特定地球局と通信衛星を介する共通線信号回線と通信回線とによって接続された子地球局を含み、前記特定地球局と前記子地球局との間でデータ伝送を行う衛星通信システムにおいて、前記複数の子地球局のいずれかが前記データ伝送の開始を要求する発呼側地球局となって前記特定地球局へデータ伝送を行う場合に、前記データ伝送の伝送量が予め定めた所定の量より多いとき、該発呼側地球局が前記特定地球局に対して前記共通線信号回線を通じて前記通信回線の割当を要求すると共に、この割当要求に応じて前記特定地球局が前記発呼側地球局に前記通信回線を割り当て、割り当てられた前記通信回線を使用して前記発呼側地球局から前記特定地球局へとデータ伝送を行い、前記データ伝送の伝送量が予め定めた所定の量より少ないとき、前記発呼側地球局は前記共通線信号回線を用いて前記特定地球局へ前記データの伝送を行うものであって、前記共通線信号回線は互いに帯域幅の異なる複数の回線を含み、前記発呼側地球局は前記データ伝送の伝送量の大小に応じて、前記複数の回線の中からあらかじめ定めた所定の帯域幅の前記共通線信号回線を選択する伝送帯域選択手段を具備するものである。
【００１６】
また、前記共通線信号回線の前記帯域幅の異なる複数の回線は、それぞれ時間的に区分された複数のタイムスロットを有し、前記発呼側地球局は、前記データ伝送の伝送量に応じて前記タイムスロットの１つ又は複数のタイムスロットを選択して伝送するスロット選択手段を具備するものである。
【００１７】
また、前記発呼側地球局が、選択した伝送帯域幅又は選択したタイムスロットの数を前記特定地球局へ通知し、前記特定地球局は前記発呼側地球局に該当する帯域幅の前記共通線信号回線又は前記タイムスロットを前記発呼側地球局がデータ伝送に使用する専用回線として割り当てるものである。
【００１８】
また、この発明の子地球局は、回線割当制御を行う親地球局と通信衛星を介する共通線信号回線と通信回線とによって接続され、前記親地球局との間でデータ伝送を行う子地球局において、前記子地球局から前記親地球局へデータ伝送を行う場合に、前記データ伝送の伝送量が予め定めた所定の量より多いとき、前記親地球局に対して前記共通線信号回線を通じて前記通信回線の割当を要求すると共に、割り当てられた前記通信回線を使用して前記親地球局へと前記データ伝送を行い、前記データ伝送の伝送量が予め定めた所定の量より少ないとき、前記共通線信号回線を用いて前記親地球局へ前記データの伝送を行うものであって、前記共通線信号回線は互いに帯域幅の異なる複数の回線を含み、前記データ伝送の伝送量の大小に応じて、前記複数の回線の中からあらかじめ定めた所定の帯域幅の前記共通線信号回線を選択する伝送帯域選択手段を具備するものである。
また、この発明の親地球局は、複数の子地球局と通信衛星を介する共通線信号回線と通信回線とによって接続され、前記複数の子地球局との間でデータ伝送を行う親地球局において、前記複数の子地球局のいずれかから前記親地球局へデータ伝送を行う場合に、前記データ伝送の伝送量が予め定めた所定の量より多いとき、前記子地球局から前記共通線信号回線を通じて要求された前記通信回線を前記子地球局に割り当てると共に、割り当てた前記通信回線を介して前記子地球局からの前記データ伝送を受信し、前記データ伝送の伝送量が予め定めた所定の量より少ないとき、前記子地球局からの前記データの伝送を前記共通線信号回線を介して受信するものであって、前記共通線信号回線は互いに帯域幅の異なる複数の回線を含み、前記データ伝送の伝送量の大小に応じて前記子地球局により選択された、前記複数の回線の中の所定の帯域幅の前記共通線信号回線を介して受信するものである。
【００１９】
【発明の実施の形態】
実施の形態１．
図１は本発明の実施の形態１に係る衛星通信システムの構成を示す概念図である。図において１は衛星通信システムの回線割り当て、監視、制御等を行う親局（親地球局又は特定地球局）である。２は子局（子地球局）であり、複数設置されることによりネットワークを形成する。３は宇宙空間に打ち上げられ、衛星回線を中継する通信衛星である。４は通信衛星３を介して子局から親局への上り共通線信号回線（ＣＳＣ回線）である。５は通信衛星３を介して親局から子局への下りＣＳＣ回線である。６は通信衛星３を介したＤＡＭＡ通信回線（単に通信回線という）である。
【００２０】
図２は本発明の実施の形態１に係る衛星通信システムの上りＣＳＣ回線および下りＣＳＣ回線の周波数配置、タイムスロット配置を示す概念図である。図において、４ａ、４ｂ、４ｃは子局２が親局１へ送信するそれぞれ帯域幅の異なる複数の上りＣＳＣ回線であり、５は親局１が子局２へ送信する下りＣＳＣ回線である。従来例では、各々の子局では一本の上りＣＳＣ回線のみで回線割当制御をしていたが本実施の形態１では帯域幅の異なる複数の上りＣＳＣ回線を、伝送するデータ量が少ない場合には通信回線として使用する点に特徴がある。なお、この図では図示しなかったが、通常の衛星通信回線６が異なった周波数領域に存在する。
【００２１】
図３は本発明の実施の形態１に係る衛星通信システムの親局１の構成を示すブロック図である。図において１０は端末装置である。１１は回線接続制御装置であり、子局２からの回線割当要求にしたがって空き回線の検索および割当を行うＤＡＭＡ制御部１１ａ、子局２の動作チェックのための監視信号を発信し、また子局２からの応答信号を受け正常に動作しているかをチェックする監視制御部１１ｂ、そして本発明に係る上りＣＳＣ回線にて伝送されたデータがどの地球局（自局を含む）に対するデータかを認識し、送信対象の地球局（自局を含む）に向かってデータを送信するデータ回線制御部１１ｃからなる。
【００２２】
１２は回線接続制御装置１１からの回線割当指示を下りＣＳＣ回線の周波数帯に変調するためのＣＳＣ変調部である。１３ａは図２のＣＳＣ回線４ａに対応した周波数の信号を復調するＣＳＣ復調部であり、１３ｂ、１３ｃはそれぞれ４ｂ、４ｃに対応している。１４ａは、親局の指示に従って空いている通信回線の周波数に設定し、当該周波数で無線信号の送受信を行う通信回線変復調部である。１５は、送信時はＣＳＣ変調部１２から出力された無線信号を増幅し、アンテナ１６によって空間に送出し、受信時はアンテナ１６で受信した無線信号を中間周波数信号に変換してＣＳＣ復調部１３ａ、１３ｂ、１３ｃに出力する送受信装置である。
【００２３】
図４は本発明の実施の形態１に係る衛星通信システムの子局２の構成を示すブロック図である。図において２０は端末装置である。２１はＩＤＵであり、ＣＳＣ変復調部２１ａと通信回線変復調部１４ｂと制御部２１ｃからなる。
【００２４】
この制御部２１ｃは、親局の回線割当命令に応じて空き回線に対応した周波数に設定するよう通信回線変復調部１４ｂを制御するという従来の機能の他、伝送するデータ量に基づいて上りＣＳＣ回線と通常の通信回線のどちらが伝送に適しているかを判定し、上りＣＳＣ回線を用いる場合、データ量に適した帯域幅、情報速度および一つもしくは複数のタイムスロットを選択し設定するという機能がある。
【００２５】
２２はＯＤＵであり、送信時はＩＤＵ２１から出力された無線信号を増幅後、空間に送出し、受信時は衛星３から受信した無線信号を中間周波数に変換しＩＤＵ２１に出力する。２３はアンテナである。
【００２６】
次に動作について説明する。まず、子局２ａが親局１に対してデータを送信する場合、ＩＤＵ２１の制御部２１ｃにおいて上りＣＳＣ回線で伝送可能なデータ量かを判定し、伝送可能な場合は複数の上りＣＳＣ回線４ａ、４ｂ、４ｃ…の中から最適である上りＣＳＣ回線を選択（伝送帯域選択手段という）し、そのチャンネルにＣＳＣ変復調部２１ａを設定する。そして、一つまたは複数のタイムスロット（連続、不連続いずれでも可）を用いて親局１へデータを伝送（スロット選択手段という）する。
【００２７】
アンテナ１６で子局２からの無線信号を受け取った親局１は、無線信号を送受信装置１５で中間周波数に変換し、各上りＣＳＣ回線の周波数に対応したＣＳＣ復調部１３ａまたは１３ｂまたは１３ｃで復調する。復調したデータは回線接続制御装置１１へ送出される。今の場合はＤＡＭＡ制御部１１ａと監視制御部１１ｂは動作せず、データ回線制御部１１ｃにおいて自局向けのデータか否かを判断し、自局向けのデータならば端末装置１０に出力する。
【００２８】
それ以外の他の子局２に対するデータである場合はデータ回線制御部１１ｃからＣＳＣ変調部１２、送受信装置１５、アンテナ装置１６を用いて子局２に向けてデータを発信する。
【００２９】
親局１から発信されたこのデータを例えば子局２ｂが受信した場合、ＩＤＵ２１の制御部において自局向けのデータか否かを判定し、自局向けである場合は、受信データを端末装置２０へ伝送する。
【００３０】
これにより子局同士、例えば子局２ａから子局２ｂへのデータ伝送には、従来のＤＡＭＡ方式による回線接続の場合、１．子局２ａから親局１へ回線割当要求、２．親局から子局２ａおよび子局２ｂへ回線割当、３．通信回線で子局２ａと子局２ｂを接続、という３ホップが必要であったが、本実施の形態１を用いれば１．子局２ａから親局１へ、２．親局１から子局２ｂへ、という２ホップでデータの伝送が可能になる。
【００３１】
このため本実施の形態１の衛星通信システムを用いれば、ある一定量以下のデータを伝送する場合は伝送開始までの時間短縮ができ、かつ通信回線を使用しないため通信回線を有効に利用することが可能になる。データが一バーストで通信できる量より多い場合は、複数のバーストに分けて通信するが、それよりも多い場合には親局１を介さない通常のＤＡＭＡ方式で接続を行い、子局同士を直接接続して通信回線を用いた方が効率がよい。
【００３２】
どの程度のデータ量まで本実施の形態１の衛星通信方法を用いた方が効率が良いかについては、上りＣＳＣ回線の帯域幅の他に、誤り訂正復号の方法やデータの圧縮・伸長法などのシステムの仕様によるため、システムに応じて検討する必要がある。
【００３３】
実施の形態２．
実施の形態２のタイムスロット構成、装置構成等は実施の形態１と同一である。
【００３４】
実施の形態１では、子局２から親局１へのデータ伝送の際、一定量以下のデータならば上りＣＳＣ回線を用いて一つもしくは複数のバーストに分けて通信する方法を示したが、その他に適当な上りＣＳＣ回線のタイムスロットを一時的に特定子局２のデータ伝送専用にして、データの衝突による欠損を防止してデータ伝送を行う方法も可能である。
【００３５】
その場合、上記と同様に子局２のＩＤＵ２１内の制御部２１ｃにおいてデータ量が上りＣＳＣ回線を利用して伝送できるかどうかを判定し、可能であるならば複数の上りＣＳＣ回線４ａ、４ｂ、４ｃ…の中から最適である上りＣＳＣ回線およびタイムスロットを選択し、そのチャンネルを専用で使用できるように親局１へ要求する。その際、選択するタイムスロットは連続または不連続でも可能である。
【００３６】
この信号を受け取った親局１は、回線接続制御装置１１のＤＡＭＡ制御部１１ａにおいて要求の上りＣＳＣ回線４およびタイムスロットの占有が可能であるかを判定し、可能である場合は子局２ａ専用で使用するための制御信号を全ての子局２へ伝送する。
【００３７】
以上のように特定の地球局に専用の上りＣＳＣ回線を確保するため、データ衝突による損失がなく、また、ＤＡＭＡ方式による通信回線確保を行わないで、一定量以下の通信にＣＳＣ回線を用いるため通信回線を有効に利用できる通信システムを得ることができる。
【００３８】
【発明の効果】
以上のように、この発明の衛星通信システムによれば、回線割当制御を行う特定地球局、
この特定地球局と通信衛星を介する共通線信号回線と通信回線とによって接続された子地球局を含み、前記特定地球局と前記子地球局との間でデータ伝送を行う衛星通信システムにおいて、前記複数の子地球局のいずれかが前記データ伝送の開始を要求する発呼側地球局となって前記特定地球局へデータ伝送を行う場合に、前記データ伝送の伝送量が予め定めた所定の量より多いとき、該発呼側地球局が前記特定地球局に対して前記共通線信号回線を通じて前記通信回線の割当を要求すると共に、この割当要求に応じて前記特定地球局が前記発呼側地球局に前記通信回線を割り当て、割り当てられた前記通信回線を使用して前記発呼側地球局から前記特定地球局へとデータ伝送を行い、前記データ伝送の伝送量が予め定めた所定の量より少ないとき、前記発呼側地球局は前記共通線信号回線を用いて前記特定地球局へ前記データの伝送を行うものであって、前記共通線信号回線は互いに帯域幅の異なる複数の回線を含み、前記発呼側地球局は前記データ伝送の伝送量の大小に応じて、前記複数の回線の中からあらかじめ定めた所定の帯域幅の前記共通線信号回線を選択する伝送帯域選択手段を具備するものであるので、一定量以下のデータ伝送に対して通常の回線要求、割当により通信回線を確保するのではなく共通線信号回線を用いるため、通信回線の割当および確保をする必要がなく、データ伝送要求から伝送開始までの時間短縮ができ、かつ共通線信号回線を用いることでより通信回線に空きができ、通信回線をより有効に利用する衛星通信システムを得ることができる。
【００３９】
また、前記発呼側地球局が、選択した伝送帯域幅又は選択したタイムスロットの数を前記特定地球局へ通知し、前記特定地球局は前記発呼側地球局に該当する帯域幅の前記共通線信号回線又は前記タイムスロットを前記発呼側地球局がデータ伝送に使用する専用回線として割り当てるので、上りＣＳＣ回線（共通線信号回線）の１つまたは複数のタイムスロットを一時的に特定の子局（発呼側地球局）専用のデータ伝送に用いることにより、データ伝送の衝突によるデータ欠損がなく、また、ＤＡＭＡ方式の回線割当を行わないため、通信回線の利用効率が向上し通信品質の高い衛星通信システムを得ることができる。
【図面の簡単な説明】
【図１】本発明の実施の形態１に係る衛星通信システムの構成を表す概念図である。
【図２】本発明の実施の形態１に係る衛星通信システムのＣＳＣ回線の周波数配置およびタイムスロット配置を表す概念図である。
【図３】本発明の実施の形態１に係る衛星通信システムの親局の構成を表すブロック図である。
【図４】本発明の実施の形態１に係る衛星通信システムの子局の構成を表すブロック図である。
【図５】従来の衛星通信システムの構成を表す概念図である。
【図６】従来の衛星通信システムのＣＳＣ回線の周波数配置およびタイムスロット配置を表す概念図である。
【図７】従来の衛星通信システムの親局の構成を表すブロック図である。
【図８】従来の衛星通信システムの子局の構成を表すブロック図である。
【符号の説明】
１  親局、    ２  子局、    ３  通信衛星、    ４  上りＣＳＣ回線、
５  下りＣＳＣ回線、    ６  通信回線、    １０  親局の端末装置、
１１  回線接続制御装置、    １１ａ  ＤＡＭＡ制御部、
１１ｂ  監視制御制御部、    １１ｃ  データ回線制御部、
１２  ＣＳＣ変調部、    １３  ＣＳＣ復調部、
１４ａ  親局の通信回線制御部、    １４ｂ  子局の通信回線制御部、
１５  送受信装置、    １６  親局のアンテナ装置、
２０  子局の端末装置、    ２１  ＩＤＵ、    ２１ａ  ＣＳＣ変復調部、
２１ｂ  通信回線変復調部、    ２１ｃ  回線接続制御部、
２２  ＯＤＵ、    ２３  子局のアンテナ装置、
３４  従来の上りＣＳＣ回線、    ３５  従来の下りＣＳＣ回線、
４０  従来の親局の端末装置、    ４１  従来の回線接続制御装置、
４１ａ  従来のＤＡＭＡ制御部、    ４１ｂ  従来の監視制御部、
４２  従来のＣＳＣ変調部、    ４３  従来のＣＳＣ復調部、
４４ａ  従来の親局の通信回線制御部、
４４ｂ  従来の子局の通信回線制御部、    ４５  従来の送受信装置、
４６  従来の親局のアンテナ装置、    ５０  従来の子局の端末装置、
５１  従来のＩＤＵ、    ５１ａ  従来のＣＳＣ変復調部、
５２  従来のＯＤＵ、    ５３  従来の子局のアンテナ装置。
【図１】
0003586417.tif 000002
【図２】
0003586417.tif 000003
【図３】
0003586417.tif 000004
【図４】
0003586417.tif 000005
【図５】
0003586417.tif 000006
【図６】
0003586417.tif 000007
【図７】
0003586417.tif 000008
【図８】
0003586417.tif 000009